(57)【特許請求の範囲】
【請求項１】
電解槽への通電によって前記電解槽に供給される原水を電気分解して酸性イオン水とアルカリ性イオン水を生成するようにした電解イオン水生成装置において、前記電解槽の通電回路に前記電解槽に通電されている電流値を計測する電流計を設けるとともに、特定の電流値を前記電解槽に通電することにより生成された酸性イオン水またはアルカリ性イオン水をｐＨ測定器によって予め測定して得た基準測定ｐＨ値と特定の電流値から特定の演算によって算出した基準算出ｐＨ値との関係に基づいて前記電流計によって計測された実際の電流値から特定の演算によって算出した算出ｐＨ値を補正する補正手段と、この補正手段により補正された補正ｐＨ値を表示する表示手段を設けたことを特徴とする電解イオン水生成装置。
【請求項２】
前記特定の電流値が一つであることを特徴とする請求項１記載の電解イオン水生成装置。
【請求項３】
前記特定の電流値が複数であることを特徴とする請求項１記載の電解イオン水生成装置。
【発明の詳細な説明】
【０００１】
【発明の属する技術分野】
本発明は、電解槽への通電によって電解槽に供給される原水を電気分解して酸性イオン水とアルカリ性イオン水を生成するようにした電解イオン水生成装置に関する。
【０００２】
【従来の技術】
この種の電解イオン水生成装置においては、市販のｐＨ測定器（ｐＨ計、酸化還元電位計等の測定器で直接または間接的にｐＨ値を測定する測定器）を当該電解イオン水生成装置に組み込むことにより、電解槽にて生成される酸性イオン水またはアルカリ性イオン水のｐＨ値を表示することが可能であり、このｐＨ値表示により電解槽にて生成される酸性イオン水またはアルカリ性イオン水のｐＨ値をモニター（監視）することができる。
【０００３】
【発明が解決しようとする課題】
ところで、市販のｐＨ測定器は、一般的に知られているように、経時変化が極めて小さくて長期間正確な計測が可能な電流計に比して、高価であるばかりか経時変化が大きくて、正確なｐＨ値を表示部に表示させるためには頻繁な校正やメンテナンスが必要であるため、これを電解イオン水生成装置に組み込んで電解槽にて生成される酸性イオン水またはアルカリ性イオン水のｐＨ値を長期間モニターする場合には使用性が悪い。なお、校正やメンテナンスを行わないで市販のｐＨ測定器を長期間使用すると、ｐＨ測定器の経時変化によって正確なｐＨ値を計測できなくなり、モニター機能が有効に得られない。
【０００４】
【課題を解決するための手段】
本発明は、電解槽に通電される電流値と電解槽にて生成される各イオン水のｐＨ値とは特定の関係にあること（電流値の増大に応じて酸性度とアルカリ性度が高まること、及び原水に含まれている炭酸カルシウム等の不純物は電解電流を消費して酸性度とアルカリ性度の上昇を抑制すること）に着目して、上記した問題に対処すべくなされたものであり、電解槽への通電によって前記電解槽に供給される原水を電気分解して酸性イオン水とアルカリ性イオン水を生成するようにした電解イオン水生成装置において、前記電解槽の通電回路に前記電解槽に通電されている電流値を計測する電流計を設けるとともに、特定の電流値を前記電解槽に通電することにより生成された酸性イオン水またはアルカリ性イオン水をｐＨ測定器によって予め測定して得た基準測定ｐＨ値と特定の電流値から特定の演算によって算出した基準算出ｐＨ値との関係に基づいて前記電流計によって計測された実際の電流値から特定の演算によって算出した算出ｐＨ値を補正する補正手段（結果的に、原水に含まれている炭酸カルシウム等の不純物の含有量に応じた補正を行うとともに、当該装置の製品間における電解性能のバラツキ等の補正を行う手段）と、この補正手段により補正された補正ｐＨ値を表示する表示手段を設けたことに特徴がある。この場合において、前記特定の電流値は一つであっても複数であってもよい。
【０００５】
【発明の作用・効果】
本発明による電解イオン水生成装置おいては、当該電解イオン水生成装置を設置した際に、特定の電流値を電解槽に通電することにより生成された酸性イオン水またはアルカリ性イオン水をｐＨ測定器（勿論、正確に校正されていてｐＨ値を正確に測定可能となっている）によって予め測定して基準測定ｐＨ値を得るとともに、この基準測定ｐＨ値と特定の電流値から特定の演算によって算出される基準算出ｐＨ値との関係を得て、この関係を補正手段に入力して記憶させれば、基準測定ｐＨ値と基準算出ｐＨ値との関係に基づいて補正手段が電解槽に通電されている実際の電流値（電流計によって計測される）から特定の演算によって算出した算出ｐＨ値を補正する。
【０００６】
ところで、補正手段により補正されて得られる補正ｐＨ値は、電流計によって計測される実際の電流値から算出した算出ｐＨ値を基準測定ｐＨ値と基準算出ｐＨ値との関係に基づいて補正したものであるため、ｐＨ測定器によって測定して得られる測定ｐＨ値に近似していて正確であり、しかも経時変化が極めて小さくて長期間正確な計測が可能な電流計によって得られる実際の電流値から算出した算出ｐＨ値を基として得られているため、頻繁な校正やメンテナンスを行う必要がなくて使用性がよく、また長期間安定して正確なｐＨ値を表示手段にて表示することができる。したがって、表示手段に表示される正確なｐＨ値により電解槽にて生成される酸性イオン水またはアルカリ性イオン水のｐＨ値を的確にモニターすることができる。
【０００７】
また、本発明による電解イオン水生成装置においては、他の目的にも使用可能な電流計及び表示手段とｐＨ値表示のために使用される補正手段とを用いてｐＨ値のモニター装置を構成したものであり、ｐＨ値を計測・表示するために使用される市販のｐＨ測定器を用いてｐＨ値のモニター装置を構成するより実質的に安価に構成することができる。
【０００８】
【発明の実施の形態】
以下に、本発明の一実施形態を図面に基づいて説明する。図１は本発明による電解イオン水生成装置を示していて、この電解イオン水生成装置は通水式の電解槽１０と通電制御装置２０とモニター装置３０を備えている。電解槽１０は、原水すなわち希塩水（当該装置の設置場所にて得られる水道水或いは地下水に所定量の食塩を加えた水）を電気分解して酸性イオン水とアルカリ性イオン水を生成するそれ自体周知のものであり、槽本体１１の内部は隔膜１２によって二つの電解室１３，１４に区画されていて、各電解室１３，１４には通電回路２１を介して通電制御装置２０に接続された電極板１５，１６がそれぞれ配設されている。通電制御装置２０は、通電回路２１中に介装されていて、設定した電流を電極板１５，１６間に定常的に通電できるものであり、設定電流値は任意に設定可能となっている。
【０００９】
モニター装置３０は、通電回路２１に設けられて電解槽１０に通電されている電流値Ａを計測する電流計３１と、電流値Ａから算出ｐＨ値Ｓ１を演算する演算部３２と、算出ｐＨ値Ｓ１を補正して補正ｐＨ値Ｓ２を得る補正部３３と、補正ｐＨ値Ｓ２を表示する表示部３４によって構成されている。演算部３２は、特定の演算によって電流値Ａから算出ｐＨ値Ｓ１を演算するものであり、特定の演算は電解槽１０に通電される電流値Ａの変化とこの電解槽１０にて生成される酸性イオン水（またはアルカリ性イオン水）のｐＨ値変化との関係を予め実験によって求めて得られた特性線に基づいて行われるものである。
【００１０】
補正部３３は、特定の電流値（所期の酸性イオン水、例えばｐＨ値２．５０を得るための電流値、例えば１５アンペア）を電解槽１０に通電することにより生成された酸性イオン水（またはアルカリ性イオン水）を市販のｐＨ測定器（図示省略）によって予め測定して得た基準測定ｐＨ値Ｓ（希塩水の塩濃度に拘らず一定である）と上記した特定の電流値から上記した特定の演算によって算出した基準算出ｐＨ値Ｓｏとの関係に基づいて演算部３２から入力される算出ｐＨ値Ｓ１（電流計３１によって計測された実際の電流値Ａから上記した特定の演算によって算出した算出ｐＨ値）を補正する、具体的には基準測定ｐＨ値Ｓと基準算出ｐＨ値Ｓｏとの差（誤差）を演算部３２から入力される算出ｐＨ値Ｓ１に付加補正して補正ｐＨ値Ｓ２を得るするようになっていて、当該装置の設置時に上記した差（誤差）が入力されて記憶されるようになっている。
【００１１】
上記のように構成した本実施形態の電解イオン水生成装置おいては、当該電解イオン水生成装置を設置した際に、特定の電流値を電解槽１０に通電することにより生成された酸性イオン水（またはアルカリ性イオン水）を市販のｐＨ測定器（勿論、正確に校正されていてｐＨ値を正確に測定可能となっている）によって予め測定して基準測定ｐＨ値Ｓを得るとともに、この基準測定ｐＨ値Ｓと特定の電流値から特定の演算によって算出される基準算出ｐＨ値Ｓｏとの関係（差）を得て、この関係（差）を補正部３３に入力して記憶させれば、基準測定ｐＨ値Ｓと基準算出ｐＨ値Ｓｏとの関係（差）に基づいて補正部３３が電解槽１０に通電されている実際の電流値Ａ（電流計３１によって計測される）から演算部３２にて特定の演算によって算出された算出ｐＨ値Ｓ１を補正する。
【００１２】
ところで、補正部３３にて補正されて得られる補正ｐＨ値Ｓ２は、電流計３１によって計測される実際の電流値Ａから算出した算出ｐＨ値Ｓ１を基準測定ｐＨ値Ｓと基準算出ｐＨ値Ｓｏとの関係（差）に基づいて補正したものであるため、市販のｐＨ測定器によって測定して得られる測定ｐＨ値に近似していて正確であり、しかも経時変化が極めて小さくて長期間正確な計測が可能な電流計３１によって得られる実際の電流値Ａから算出した算出ｐＨ値Ｓ１を基として得られているため、頻繁な校正やメンテナンスを行う必要がなくて使用性がよく、また長期間安定して正確なｐＨ値を表示部３４にて表示することができる。したがって、表示部３４に表示される正確なｐＨ値により電解槽１０にて生成される酸性イオン水（またはアルカリ性イオン水）のｐＨ値を的確にモニターすることができる。
【００１３】
また、本実施形態の電解イオン水生成装置においては、他の目的にも使用可能な電流計３１及び表示部３４とｐＨ値表示のために使用される演算部３２及び補正部３３とを用いてｐＨ値のモニター装置３０を構成したものであり、ｐＨ値を計測・表示するために使用される市販のｐＨ測定器を用いてｐＨ値のモニター装置を構成するより実質的に安価に構成することができる。
【００１４】
更に、本実施形態の電解イオン水生成装置においては、当該電解イオン水生成装置の設置時に特定の電流値を電解槽１０に通電することにより酸性イオン水とアルカリ性イオン水を生成して、生成した酸性イオン水（またはアルカリ性イオン水）を市販のｐＨ測定器により測定して基準測定ｐＨ値Ｓを得る作業、及び上記した特定の電流値から上記した特定の演算によって基準算出ｐＨ値Ｓｏを算出する作業、並びに基準測定ｐＨ値Ｓと基準算出ｐＨ値Ｓｏとの差を補正部３３に入力して記憶させる作業がそれぞれ一回でよいため、設置作業を短時間に効率よく行うことができる。
【００１５】
上記実施形態においては、特定の電流値（所期の酸性イオン水、例えばｐＨ値２．５０を得るための電流値、例えば１５アンペア）を電解槽１０に通電することにより生成された酸性イオン水（またはアルカリ性イオン水）を市販のｐＨ測定器によって予め測定して得た基準測定ｐＨ値Ｓと上記した特定の電流値から上記した特定の演算によって算出した基準算出ｐＨ値Ｓｏとの関係に基づいて、算出ｐＨ値Ｓ１を補正部３３にて補正するようにした、すなわち一つの特定の電流値での市販のｐＨ測定器による一点計測によって得られる基準測定ｐＨ値Ｓと基準算出ｐＨ値Ｓｏとの関係（差）に基づいて算出ｐＨ値Ｓ１を補正部３３にて補正するようにしたが、二つの特定の電流値（例えば、１３アンペアと１７アンペア、または１５アンペアとゼロアンペア）での市販のｐＨ測定器による二点計測によって得られる基準測定ｐＨ値Ｓと基準算出ｐＨ値Ｓｏとの関係（直線状の特性線）に基づいて算出ｐＨ値Ｓ１を補正部３３にて補正すること、或いは三つ以上の特定の電流値での市販のｐＨ測定器による三点以上の計測によって得られる基準測定ｐＨ値Ｓと基準算出ｐＨ値Ｓｏとの関係（折れ線状または曲線状の特性線）に基づいて算出ｐＨ値Ｓ１を補正部３３にて補正することも可能である。
【図面の簡単な説明】
【図１】  本発明による電解イオン水生成装置の一実施形態を概略的に示す全体構成図である。
【符号の説明】
１０…電解槽、２０…通電制御装置、２１…通電回路、３０…モニター装置、３１…電流計、３２…演算部、３３…補正部（補正手段）、３４…表示部（表示手段）、Ａ…実際の電流値、Ｓ１…算出ｐＨ値、Ｓ２…補正ｐＨ値。
【図１】
0003911311.tif 000002